(57)【要約】【課題】  利用者が面倒な操作をすること無しに、ＱＲコードデコーダが内蔵されたカメラ付き携帯電話を使ってブログ（ＢＬＯＧ）やインターネットのホームページで利用登録する方法を提供する。【解決手段】  プラスチックカードなどにお店専用のブログ（ＢＬＯＧ）アドレスを含むＱＲコードを印刷し、利用者がＱＲコードデコーダが内蔵されたカメラ付き携帯電話端末を使って前記ＱＲコードを読むことにより、前記携帯電話端末の電話番号と携帯電話メールアドレスの全てあるいは一部を組み合わせてユーザーＩＤおよびパスワードとして登録できて、この電話番号とメールアドレスをブログ（ＢＬＯＧ）やインターネットのホームページのログイン情報として設定することにより、簡単にブログ（ＢＬＯＧ）やインターネットのホームページ画面を開くことが出来る。【選択図】  図２
2007109048.tif 000002
【特許請求の範囲】
【請求項１】
カードプリンターを使ってＱＲコードが印刷されたカードであって、前記ＱＲコードをＱＲコードデコーダが内蔵されたカメラ付き携帯電話で解読することにより、前記携帯電話の電話番号と携帯電話メールのメールアドレスを登録するサイトに誘導して前記電話番号と前記メールアドレスを簡単に登録でき、前記サイトに登録した前記電話番号と前記メールアドレスの全てあるいは一部を組み合わせてユーザーＩＤおよびパスワードとして登録し、この利用者ＩＤおよびパスワードを使ってブログ（ＢＬＯＧ）あるいはインターネットのホームページにアクセスできることを特徴とするＱＲコードが印刷されたカード。
【請求項２】
請求項１に記載されたＱＲコードが印刷されたカードであって、このカードには各々にＱＲコードが印刷された２〜６個の小片（以下ＱＲチップと呼ぶ）を分離するための打ち抜きあるいは切り込みが入っていて印刷後に分離が可能であること、前記ＱＲチップにはペットの首輪への取付け手段が設けられていること、前記ＱＲコードには前記ペットの飼い主が請求項１にある方法によってホームページにアクセスして前記ペットに関する情報の登録ができること、前記ペットが迷子になった時に、前記ペットの発見者が前記ＱＲチップに印刷されたＱＲコードをＱＲコードデコーダが内蔵されたカメラ付き携帯電話で解読することにより、小片を身につけた前記ペットの事前印刷済み連絡先に携帯電話で直接リンクできることを特徴とするＱＲコードが印刷されたカード。
【請求項３】
請求項１に記載されたＱＲコードが印刷されたカードであって、このカードには２〜６個のＱＲチップを分離するための打ち抜きあるいは切り込みが入っていて印刷後に分離が可能であること、前記ＱＲチップはカード本体から分離後に徘徊する可能性のある老人や迷子になり易い幼児の衣服などに取付けできる構造を持ち、前記ＱＲコードには前記老人または幼児の家族などが請求項１にある方法によってホームページにアクセスして前記老人または幼児に関する情報の登録ができ、前記小片の表面にＱＲコードが印刷され裏面には写真などの認証手段が印刷されていて、前記ＱＲコードをＱＲコードデコーダが内蔵されたカメラ付き携帯電話で解読することにより、前記ＱＲチップを身につけた老人または幼児の家族など事前印刷された連絡先に携帯電話が直接リンクでき、被捜索者（前記老人または幼児）のみならず、その捜索者（家族など）も同一ＱＲチップを所持することで第三者によって被捜索者と捜索者の双方を認証することが可能であることを特徴とするＱＲコードが印刷されたカード。
【発明の詳細な説明】
【技術分野】
【０００１】
本発明は、ＱＲコードを利用して簡単にインターネットのホームページやブログ（ＢＬＯＧ）への登録ページ、迷子犬や徘徊老人や迷子幼児の連絡先へ容易にリンク出来るＱＲコードを印刷したカードに関する。
【背景技術】
【０００２】
インターネットを使ったマーケティングツールとしては、バーコードやＱＲコードを使って特定のＵＲＬに誘導するタイプのカードが使われているが、一方的に情報を与えるだけのツールであって、例えば、名刺に会社名、役職名、氏名、住所、電話番号、ファクシミリ番号、携帯電話番号および電子メールアドレス等の文字に関する情報を符号化し、ＱＲコードとして白黒交互の升目で縦横モザイク状に表示したものがある。そして、この名刺上のＱＲコード を読み取ることにより、名刺のデザインやこれに記されている会社名、役職名、氏名、住所、電話番号、ファクシミリ番号、携帯電話番号お よび電子メールアドレス等の文字情報の字体等に関わらず、正確に名刺１上の文字情報を入力して容易にＤＢへ登録することが可能となることが知られている。（特許文献１）
【０００３】
また、広告主側が広告主側端末を用いてコード発行者側に対しコード登録申請を行い、利用者がコード登録申請により付される広告媒体の広告内のＱＲコードをコード読取器（クリッパー）により読取るとともに、ＱＲコードに含まれるインデックス名をコード読取器に接続されるノート型パソコンのディスプレイに表示させて選択することで、ＱＲコード に含まれるインターネット・アドレスのホームページを閲覧し、コード発行者側のマーケティングサーバーにより受取ったコード登録申請に対し、コード発行を行うとともに、利用者側からのアクセスを受付けてインターネット・アドレスのホームページへのジャンプを行い、さらに利用者側からのアク セスによる情報に含まれる媒体マーケティング情報を取得する方法が知られている。（特許文献２）
【特許文献１】特開２００３−１５４７７４
【特許文献２】特開２００２−１９７３６４
【発明の開示】
【発明が解決しようとする課題】
【０００４】
しかし、特許文献１のように名刺にＱＲコードを印刷しただけでは、名刺を提供した側から提供された側への一方的なデーター配信にしかならないので、双方向コミュニケーションツールとしては使えない。
【０００５】
また、特許文献２のように、利用者がコード登録申請により付される広告媒体の広告内の二次元コードをコード読取器により読み取った後、ＱＲコードに含まれるインデックス名をコード読取器に接続される通信端末のディスプレイに表示させて選択させ、更にコード申請によって送られるコードを使って媒体マーケティングのホームページへアクセスして、個人情報を入力するなど煩雑な作業が繰り返されるので大半の利用者は面倒を感じてしまうし、個人情報を入力することにより匿名性が無くなるので正直なコメントが提供できなくなる。
【０００６】
解決しようとする問題点は、利用者にとって面倒な手続きを要求することなく、ブログ（ＢＬＯＧ）やインターネットのホームページへの利用登録が出来て、かつ簡単にブログ（ＢＬＯＧ）やインターネットのホームページにログインできるようにする双方向コミュニケーションツールを提供することにある。
【課題を解決するための手段】
【０００７】
本発明は、カードプリンターを使ってＱＲコードが印刷されたカードであって、前記ＱＲコードをＱＲコードデコーダが内蔵されたカメラ付き携帯電話で解読することにより、前記携帯電話の電話番号と携帯電話メールのメールアドレスを登録するサイトに誘導して前記電話番号と前記メールアドレスを簡単に登録でき、前記サイトに登録した前記電話番号と前記メールアドレスの全てあるいは一部を組み合わせて利用者ＩＤおよびパスワードとして登録し、このユーザーＩＤおよびパスワードを使ってブログ（ＢＬＯＧ）あるいはインターネットのホームページにアクセスできるようにした。
【０００８】
これにより、利用者はＱＲコードデコーダが内蔵されたカメラ付き携帯電話を使って簡単に携帯電話番号と携帯電話メールアドレスを登録することができ、しかも携帯電話を持っていれば前記携帯電話番号と携帯電話メールアドレスは携帯電話から簡単に呼び出すことができるので、これらの全てあるいは一部を組み合わせてユーザーＩＤおよびパスワードとして登録し、このユーザーＩＤおよびパスワードをログイン情報（利用者ＩＤやパスワード）に使うことにより、カードに印刷してあるＱＲコード情報に含まれるインターネットのホームページあるいはブログ（ＢＬＯＧ）にログインできるので便利である。
【０００９】
本発明はまた、カードに２〜６個の小片を分離するための打ち抜きあるいは切り込みが入れて印刷後に分離が可能とし、前記小片にはペットの首輪への取付け手段を設け、前記ＱＲコードには前記ペットの飼い主が請求項１にある方法によってホームページにアクセスして前記ペットに関する情報の登録ができ、前記ペットが迷子になった時に、前記ペットの発見者が前記ＱＲコードをＱＲコードデコーダが内蔵されたカメラ付き携帯電話で解読することにより、小片を身につけた前記ペットの事前印刷済み連絡先に携帯電話で直接リンクできるようにした。
【００１０】
これにより、従来は刻印機などを使って面倒な工程で作製していた迷子犬カードなどがカードプリンターで簡単かつ安価に製造することが出来て、印刷後に小片に分離することにより、飼い主はＱＲコードデコーダが内蔵されたカメラ付き携帯電話を使って専用ホームページにペットの迷子情報を簡単に登録でき、また迷子犬を発見した人は迷子犬などの首輪などに吊着あるいは係着された小片に印刷されたＱＲコードを、ＱＲコードデコーダが内蔵されたカメラ付き携帯電話を使って解読すれば前記迷子犬などの連絡先が画面に出てくるのでワンクリックで迷子情報を閲覧したり、また直接飼い主などと連絡をとることが出来るので便利である。
【００１１】
更に本発明は、カードは２〜６個の小片を分離するための打ち抜きあるいは切り込みを入れて印刷後に分離が可能とし、前記小片はカード本体から分離後に徘徊する可能性のある老人や迷子になり易い幼児の衣服などに取付けできる構造を持たせ、、前記ＱＲコードには前記老人または幼児の家族などが請求項１にある方法によってホームページにアクセスして前記老人または幼児に関する情報の登録ができ、前記小片の表面にはＱＲコードが印刷され裏面には写真などの認証手段が印刷されていて、前記ＱＲコードをＱＲコードデコーダが内蔵されたカメラ付き携帯電話で解読することにより、前記小片を身につけた老人または幼児の家族など事前印刷された連絡先に携帯電話が直接リンクできること、被捜索者（前記老人または幼児）のみならず、その捜索者（家族など）も同一小片を所持することで第三者によって被捜索者と捜索者の双方を認証することが可能なようにした。
【００１２】
これにより、老人や幼児が失踪した際でも、ＱＲコードデコーダが内蔵されたカメラ付き携帯電話を使って簡単かつ安価に徘徊老人や幼児の迷子登録をすることが簡単に出来て、しかも家族が同一の小片を持つことにより捜索者であることを容易に証明することが出来るようになる。
【発明の効果】
【００１３】
カードという安価な情報媒体にＱＲコードを印刷し、ＱＲコードデコーダが内蔵されたカメラ付き携帯電話を使って前記ＱＲコードを読むことにより、利用者の携帯電話番号および携帯電話メールアドレスが簡単に登録でき、しかも前記電話番号とメールアドレスの全てあるいは一部を組み合わせてユーザーＩＤおよびパスワードとして登録し、このユーザーＩＤおよびパスワードをログイン情報として使うことにより所望する商品などの情報が記載されたインターネットのホームページやブログ（ＢＬＯＧ）を利用することが出来るので、前記携帯電話を所有する利用者は簡単に前記ホームページやブログ（ＢＬＯＧ）を楽しむことが出来る。また、安価な名札として、カードプリンターでＱＲコードを印刷したカードの小片をペットの首輪、徘徊老人や幼児の衣服に付けておくことにより、前記ペット、老人、幼児が迷子になった時に、発見者はＱＲコードデコーダが内蔵されたカメラ付き携帯電話を使って簡単に所有者や関係機関（ペットであれば動物病院など）に連絡することが出来る。
【発明を実施するための最良の形態】
【００１４】
以下、本発明を実施するための最良の形態を図面に基づいて詳細に説明する。なお、以下の説明において、同一機能を有するものは同一の符号とし、その繰り返しの説明は省略する。
【実施例１】
【００１５】
図１には、本発明のブログ（ＢＬＯＧ）にリンクするＱＲコードを印刷したカードの例が示されている。ブログＵＲＬを含むＱＲコード１には、お店の名前（あおぞら食堂）、ブログ（ＢＬＯＧ）のＵＲＬ、お店の住所と電話番号の情報が書き込まれていて、このＱＲコードをＱＲコードデコーダが内蔵されたカメラ付き携帯電話端末などで読み込むことにより簡単に所定のブログ（ＢＬＯＧ）画面を開くことが出来る。
【００１６】
前記ブログ（ＢＬＯＧ）のＵＲＬはブログ（ＢＬＯＧ）でなくともインターネットのホームページＵＲＬでも良い。また、前記ブログ（ＢＬＯＧ）のＵＲＬあるいはインターネットのホームページＵＲＬには利用者の携帯電話の電話番号を登録するサイトと該携帯電話の携帯電話メールアドレスの全てあるいは一部を組み合わせてユーザーＩＤおよびパスワードとして登録するサイトが用意されていて、これら２つの携帯電話特定情報（電話番号とメールアドレス）がデーターベースに登録できるようになっている。なお、携帯電話の電話番号とメールアドレスの登録は同一画面で登録しても良いし、例えばメールアドレスは、カードに印刷したＱＲコードの中にメールアドレスを入れておけば、利用者の携帯電話から前記メールアドレスをクリックするだけで自動的にメール送信画面を出すこともできるので、この方法でメールアドレスを登録しても良い。
【００１７】
属性データーのＱＲコード３には、店長のプロフィールデーターが書き込まれているが、これは他にも活用が可能で、例えば商品の写真や説明データーなどを書き込むことにより、ＱＲコードデコーダが内蔵されたカメラ付き携帯電話端末などのＱＲコードのデコーダがあれば何時でも属性データーのＱＲコード３に含まれる情報を見ることが出来る。
【００１８】
図２には、ブログ（ＢＬＯＧ）の登録と管理のシステム図が示されていて、最初に利用者がカメラ付き携帯電話端末４を使ってＱＲコード印刷済カード１に印刷されたブログＵＲＬを含むＱＲコード２を撮影することにより、ＱＲコードデコーダが内蔵されたカメラ付き携帯電話端末４は携帯電話のネットワークを経由してブログサーバ５にアクセスすることが出来る。
【００１９】
前記利用者はブログ（ＢＬＯＧ）画面にて、例えばお店の印象や美味しかったメニューなどについてのコメントを書き込むことが出来る。この時、前記利用者は本名ではなく匿名（ニックネーム）でログイン出来るので、他の利用者に身元は分からないようになっていて、本音で自由に意見を書き込むことが出来る。
【００２０】
一方、サービス提供者は、サービス提供者の端末７を使ってネットワーク６を介してブログサーバ５にアクセスし、前記ブログ（ＢＬＯＧ）の画面を見ることができる。ここで前記サービス提供者はブログ（ＢＬＯＧ）の書き込みで前記利用者の本音を知ることが出来る。これにより、前記サービス提供者は自らのサービスを改善することが出来る。
【００２１】
また、前記サービス提供者は前記利用者の携帯メールアドレス以外の個人情報は得られないが、前記携帯メールアドレスを使ってお店の宣伝やお知らせ情報を流すことが出来るので、定期的にメールを受け取ることにより前記利用者はお店の最新情報を入手することが出来る。
【実施例２】
【００２２】
図３（ａ）は、カード本体から切り離し可能でＱＲコードを印刷した小片、ＱＲチップ９を持つカード８である。カードはカードプリンターで印刷可能なＩＳＯサイズのカードを使い、１枚のカードから取れる小片の数は１枚から８枚の間が望ましい。
【００２３】
ＱＲチップ９の生成方法は、例えばＧＳＭ携帯電話のＳＩＭ（Subscriber Identity Module）カードと同様の方法、ミシン縫いのように針やカッターの挿抜を繰り返して切取線のようなものを形成する方法、またはレーザー加工によって同様の効果のある部分切除をする方法でも良い。
【００２４】
図３（ｂ）はＱＲチップ９を首輪の鎖１３などに取り付ける際に利用するＱＲチップの突起部１１の拡大図である。ＱＲチップ突起部１１には切り込み１２が入っていて、この切り込み１２を境にしてＱＲチップ突起部１１を紙面手前あるいは後方に変形させることにより切り込み１２のギャップが大きくなるので前記首輪の鎖１３などを前記ギャップに通すことにより装着することが出来る。
【００２５】
図３（ｃ）はＱＲチップ突起部１１を変形させて首輪の鎖１３を切り込み１２に通してに取り付けた図である。取付けはＱＲチップ突起部１１のような形状でなくとも、例えばＱＲチップ９に穴を開けて、この穴に切り込みを入れることにより首輪の鎖１３を嵌め込むような方法も考えられるし、首輪の一部に平面部が設けられていれば前記平面部に接着やネジ止めすることも考えられる。
【００２６】
図４は迷子のペット１４が発見された場合に、発見者がペットの所有者に連絡をとる場合の情報の流れを示している。前記発見者は、迷子のペット１４を発見すると、首輪の鎖１３に取付けられたＱＲチップ９上のＱＲコードをＱＲコードデコーダが内蔵されたカメラ付き携帯電話で読み取り、画面に表示されたペット所有者の携帯電話端末の電話番号を画面クリックすることにより自動ダイヤルさせる。発見者のＱＲコードデコーダが内蔵されたカメラ付き携帯電話４は通信ネットワーク６を経由してペット所有者の携帯電話端末１５にアクセスして、発見者とペット所有者が直接通話することが出来る。
【００２７】
上記において、発見者のＱＲコードデコーダが内蔵されたカメラ付き携帯電話４の画面に表示されるのは登録や閲覧用のインターネットＵＲＬ及びペット所有者の携帯電話端末１２の電話番号だけに限定されず、ペットが通う動物病院の電話番号、あるいはペット保険が迷子ペットの引き取りサービスを行っている場合であればペット保険会社の連絡先でも良いし、電話番号に限らず電子メールアドレスや携帯電話でアクセス出来るインターネットのホームページなどでも良い。
【実施例３】
【００２８】
図５は、ＱＲチップ９を使った徘徊老人検索システムの実施例である。ＱＲチップ９の表面には、徘徊老人が失踪した際に登録するホームページのＵＲＬと連絡先電話番号がエンコードされたＱＲコードが印刷されている。また、前記ＱＲチップ９の裏面には徘徊する可能性のある老人の写真が印刷されていて徘徊老人としての身分証明書となっている。
【００２９】
図３（ａ）に示された例と同じく、１枚のカードから６個のＱＲチップ９を抜き取ることが出来るので、例えば４個を徘徊老人の衣服などに取り付けておき、２個を家族が保管する。
【００３０】
徘徊老人１６が失踪すると、徘徊老人１６の家族は保管したＱＲチップ９をＱＲコードデコーダが内蔵されたカメラ付き携帯電話１７で撮影して、ＱＲコードにエンベッドされている登録用ＵＲＬを呼び出し、ＱＲコードデコーダが内蔵されたカメラ付き携帯電話１７のディスプレイに登録用画面を呼び出す。ここで、事前に登録してある捜索者の携帯電話端末１７の電話番号と携帯メールのメールアドレスの全てあるいは一部を組み合わせてユーザーＩＤおよびパスワードとして登録し、このユーザーＩＤおよびパスワードを使って登録画面にログインした後に、徘徊老人１６の失踪時間、失踪場所などのデーターを画面に入力して徘徊登録する。
【００３１】
誰かが、前記徘徊老人１６を見つけたら、該発見者は徘徊老人１６の衣服に付けられたＱＲチップ９のＱＲコードをＱＲコードデコーダが内蔵されたカメラ付き携帯電話４で撮影して、ＱＲコードに含まれる情報を画面表示する。ここで、ＵＲＬをクリックすれば徘徊老人検索が開き、ＱＲチップ９の裏面にある写真の老人に対する捜索願が出ていることがわかる。また、同画面には捜索者の携帯電話端末１７の電話番号が表示されるので、この電話番号に直接アクセスすることが出来る。
【００３２】
前記捜索者は、裏面に写真が印刷された保存用のＱＲチップ９ｂを持参して、徘徊老人を引き取りに行き、前記発見者は徘徊老人１６の持つＱＲチップ９と前記捜索者の持つＱＲチップに同じ写真が印刷されていることでマッチング確認をすることが出来る。
【００３３】
実施例１〜３において、カードに印刷するＱＲコードには文字情報以外にも、画像データーや音声データーを入れることも考えられる。例えば音声データーを入れた場合は、目の不自由な人が迷子のペット１４を発見した場合に音声で連絡先が聞けるので便利である。この場合、ＱＲコードデコーダが内蔵されたカメラ付き携帯電話４には、ＱＲコードを画面内に認識した場合にアラーム音あるいは音声による通知をして、利用者がＱＲコードを読むことを意志表示した場合には前記ＱＲコードを自動デコードして表示画面の音声案内して、自動ダイヤルが可能であることを利用者に通知すれば目の不自由な人でもＱＲコードデコーダが内蔵されたカメラ付き携帯電話４を使ってＱＲコードを読み、更に自動的ダイヤル機能を使ってペット所有者の携帯電話に電話をかければ、簡単にペット所有者と連絡を取ることが出来る。
【００３４】
また、実施例１〜３において、ＱＲコードを印刷するカードは、ＲＦＩＤチップなどを内蔵しない単純なプラスチックカードでも良いし、ＱＲコードに対応した情報を持つＲＦＩＤを持つプラスチックカードでも良い。この場合、ＲＦＩＤチップは書き込み機能のあるチップには限定されない。もし前記ＲＦＩＤに読み出し専用チップあるいはスマートラベルなどを使う場合には、別途用意したデーターベースに前記ＲＦＩＤの識別情報（チップの製造番号など）と前記ＱＲコードに書き込んだ情報をデーター上でリンクさせることにより前記ＲＦＩＤとＱＲコードの紐付けが出来る。
【００３５】
また、前記ＱＲチップ９を幼稚園の園児衣服などに取り付け、また保護者も同じＱＲチップを持ち歩くことにより、例えば幼稚園が終わって園児が送迎バスに乗った時点で保育士などが園児のＱＲコードを読み、データーをサーバーに自動送信すれば、保護者があらかじめＱＲチップにエンコードされたＱＲコードによって誘導されたサイトにおいて携帯電話番号と携帯メールでログイン登録をしておけば、前記サーバーを閲覧して迎えに出る時間を予測することも出来る。
【産業上の利用可能性】
【００３６】
ブログ（ＢＬＯＧ）にリンクするＱＲコードを印刷したカードとＱＲコードデコーダが内蔵されたカメラ付き携帯電話端末を使うことにより、簡単な操作でサービス提供者のブログ（ＢＬＯＧ）やインターネットのホームページにアクセスして利用登録などが出来るので便利であるし、ペットや徘徊老人に小片（ＱＲチップ）を取り付けることにより、発見者がＱＲコードデコーダが内蔵されたカメラ付き携帯電話端末を使えば簡単に捜索情報が閲覧できたり、捜索者と連絡が取れ、また捜索者も同じＱＲチップを所持することで、発見者にとっても該ペットや徘徊老人との関係が簡単に明確化される。
【図面の簡単な説明】
【００３７】
【図１】ブログ（ＢＬＯＧ）にリンクするＱＲコードが印刷されてカード
【図２】ブログ（ＢＬＯＧ）の登録と管理のシステム図
【図３】小片が切り取り可能なＱＲコードが印刷されたカード
【図４】迷子犬の首輪に付けたＱＲチップとＱＲコードデコーダが内蔵されたカメラ付き携帯電話を利用したレスキューシステムの例
【図５】徘徊老人の衣服に付けたＱＲチップとＱＲコードデコーダが内蔵されたカメラ付き携帯電話を利用したレスキューシステムの例
【符号の説明】
【００３８】
１…ＱＲコード印刷済カード、２…ブログＵＲＬを含むＱＲコード、３…属性データーのＱＲコード、４…ＱＲコードデコーダが内蔵されたカメラ付き携帯電話端末、５…ブログサーバ、６…ネットワーク、７…サービス提供者の端末、８…切り込み入りカード、９…ＱＲチップ、９ａ…ペットの飼い主用ＱＲチップ、９ｂ…徘徊老人家族用のＱＲチップ、１０…ペット所有者の関連情報が入ったＱＲコード、１１…小片の突起部、１２…切り込み、１３…首輪の鎖、１４…迷子のペット、１５…ペット所有者の携帯電話端末、１６…徘徊老人、１７…捜索者の携帯電話端末。
【図１】
2007109048.tif 000003
【図２】
2007109048.tif 000004
【図３】
2007109048.tif 000005
【図４】
2007109048.tif 000006
【図５】
2007109048.tif 000007